(57)【要約】      （修正有）【課題】束紐に余分な折れ線ができないように当該束紐を変位できると共に、弾性部材と束紐とが違和感なく、しかも、より簡単かつ確実に連結できる大量生産に適した結びものを提供する。【解決手段】複数本の水引１、１…を接合状態に並列させた帯紐で所望形状に結び上げられた結び目２と、該結び目２の左右両端に延出すべく配設された環状の束紐３と、該束紐３の少なくとも一部に介在された連結部材若しくは弾性部材とを備えてなる結びものＡにおいて、前記弾性部材は、前記束紐３に連結部を介して止着された環状体又は輪ゴムからなる。【選択図】図１
0003148760.tif 000002
【実用新案登録請求の範囲】
【請求項１】
複数本の水引を接合状態に並列させた帯紐で所望形状に結び上げられた結び目と、該結び目の左右両端に延出すべく配設された環状の束紐と、該束紐の少なくとも一部に介在された連結部材若しくは弾性部材とを備えてなる結びものにおいて、前記弾性部材は、前記束紐に連結部を介して止着された環状体又は輪ゴムからなることを特徴とする結びもの。
【請求項２】
前記連結部材は、前記束紐の紐巾と略同巾に形成されると共に、前記束紐に止着された平ゴム紐からなることを特徴とする請求項１に記載の結びもの。
【請求項３】
前記連結部材は、接着テープ又は両面テープであることを特徴とする請求項１に記載の結びもの。
【請求項４】
前記連結部材は、前記束紐の両端に設けられた連結部と、両連結部にそれぞれ挿通した紐部材と、前記両連結部の間に配設される連結板とからなり、両方の前記紐部材を前記連結板の挿通孔に挿通させてから結束したものであることを特徴とする請求項１に記載の結びもの。
【請求項５】
前記連結部材は、前記束紐の紐巾と略半幅に形成される切れ目同士を互いに嵌合して止着されているものであることを特徴とする請求項１に記載の結びもの。
【請求項６】
前記束紐は、前記結び目に対して摺動自在に組み付けてなることを特徴とする請求項１に記載の結びもの。
【考案の詳細な説明】
【技術分野】
【０００１】
本考案は、主に冠婚事に贈られる祝儀袋や、贈答品に装着される平水引にて成形された「結びもの」の改良に関し、更に詳しくは、束紐と弾性部材とが違和感なく、より簡単且つ確実に連結できる、結びものに関する。
【背景技術】
【０００２】
従来、この種の結びものとしては、例えば、(１)実公平１−７７４６号公報、又は、(２)実開平５−９６０９１号公報に開示されたものが従来例として周知である（特許文献１及び２参照）。
【０００３】
この従来例(１)における結びものは、複数本の水引を並束した束紐の両端部に、環状係止部を有する係止金具をそれぞれ取り付け、両方の環状係止部間に環状弾性部材を挿通して相互に連結している。
【０００４】
また、従来例(２)における結びものは、複数本の水引を接合状態に並列させてなる帯紐で所望形状に形成された結び目と、この結び目の左右両端に延出すべく配設される環状の束紐と、該束紐の少なくとも一部に介在された弾性部材とを備え、束紐の紐巾と略同巾に形成された弾性部材の表面に、束紐と連続する表面模様を形成すると共に、束紐と弾性部材との重合部分は、接着剤及びピンを介して止着して、更に、当該止着部分を目隠しすべくテープで被装している。
【特許文献１】実公平１−７７４６号公報
【特許文献２】実開平５−９６０９１号公報
【考案の開示】
【考案が解決しようとする課題】
【０００５】
しかしながら、上述した従来例(１)（実公平１−７７４６号公報）に開示されている結びものにあっては、弾性部材が結び目と対向する位置に常時配置されることから、特に、斯かる複数本の結びものを箱詰めして商品流通に供する場合にあって、弾性部材と結び目との間の束紐が２箇所で折れてしまうといった問題があり、また、二つに屈折した束紐の復元力が作用することも相俟って、必要以上に嵩張ってしまうものである。
【０００６】
しかも、一度折れた部分には折れ線ができることから、祝儀袋等や贈答品に装着した場合に、これら被装着物の角部とは無関係なところに、余分な折れ線が現出してしまい、被装着物の外観にきちんと整合された、換言すれば、被装着物の外観に沿うべく抱持された見栄えの良い装着ができ得ないものである。
【０００７】
また、これら問題点を解決すべく考案された従来例(２)（実開平５−９６０９１号公報）の結びものにあっては、束紐に余分な折れ線ができないように当該束紐を変位（移動）させることができるといった利点を有するものの、束紐と弾性部材との重合部分に接着剤、ピンを介して止着した後、その上をテープで被装しなければならないことから、斯かる弾性部材の連結作業に手間がかかってしまうといった問題があり、大量生産に適したより簡単な連結手段が要望されている。
【０００８】
本考案はこのような従来の問題点並びに要望に鑑みてなされたもので、商品流通に供する場合にあって、束紐に余分な折れ線ができないように当該束紐を変位できると共に、弾性部材と束紐とが違和感なく、しかも、より簡単かつ確実に連結できる大量生産に適した結びものを提供することを目的としたものである。
【課題を解決するための手段】
【０００９】
前記従来例の課題を解決する具体的手段として本考案は、複数本の水引を接合状態に並列させた帯紐で所望形状に結び上げられた結び目と、該結び目の左右両端に延出すべく配設された環状の束紐と、該束紐の少なくとも一部に介在された連結部材若しくは弾性部材とを備えてなる結びものにおいて、前記弾性部材は、前記束紐に連結部を介して止着された環状体又は輪ゴムからなることを特徴とする結びものを提供するものである。
【００１０】
また、前記連結部材は、前記束紐の紐巾と略同巾に形成されると共に、前記束紐に止着された平ゴム紐からなる構成でもよい。
【００１１】
そして、前記連結部材は、接着テープ又は両面テープである構成でもよい。
【００１２】
更に、前記連結部材は、前記束紐の両端に設けられた連結部と、両連結部にそれぞれ挿通した紐部材と、前記両連結部の間に配設される連結板とからなり、両方の前記紐部材を前記連結板の挿通孔に挿通させてから結束したものである構成でもよい。
【００１３】
また、前記連結部材は、前記束紐の紐巾と略半幅に形成される切れ目同士を互いに嵌合して止着されているものである構成でもよい。
【００１４】
そして、前記束紐は、前記結び目に対して摺動自在に組み付けてなる構成でもよい。
【考案の効果】
【００１５】
本考案に係る結びものは、複数本の水引を接合状態に並列させた帯紐で所望形状に結び上げられた結び目と、該結び目の左右両端に延出すべく配設された環状の束紐と、該束紐の少なくとも一部に介在された連結部材若しくは弾性部材とを備えてなる結びものにおいて、前記弾性部材は、前記束紐に連結部を介して止着された環状体又は輪ゴムからなることによって、環状の束紐を拡径すべく伸長できるため、祝儀袋等の出し入れがし易く、従来の如く型くずれをきたすこともないという優れた効果を奏する。
【００１６】
また、連結部材は、前記束紐の紐巾と略同巾に形成されると共に、前記束紐に止着された平ゴム紐からなることによって、上述の場合と同様に、環状の束紐を拡径すべく伸長できるため、祝儀袋等の出し入れがし易く、従来の如く型くずれをきたすことがない。更には、平ゴム紐を束紐と同系色の織りゴム等で形成すると共に、束紐の紐巾と略同巾に形成すれば、当該束紐に縫着等の連結手段を介して一体的に止着することによって、束紐と弾性部材との分別がつきづらく、且つより簡単かつ堅固に止着できるという優れた効果を奏する。
【００１７】
そして、連結部材は、接着テープ又は両面テープであることによって、束紐同士を適宜の位置にてテープで止着するので他の素材のものが表面に現出することがなく、従って、違和感なく接合できるために外観を損ねることがない。換言すれば結びものとしての品格及び商品価値を低下させることなく装着できるという優れた効果を奏する。
【００１８】
更に、連結部材は、前記束紐の両端に設けられた連結部と、両連結部にそれぞれ挿通した紐部材と、前記両連結部の間に配設される連結板とからなり、両方の前記紐部材を前記連結板の挿通孔に挿通させてから結束したものであることによって、意匠的に斬新な連結部材を形成することとなる。即ち、連結板を束紐と同系色の板材で形成し、束紐の紐巾と略同巾に形成すると共に、紐部材や当該連結板に種々の装飾を施すこにより、結びものとしての品格及び商品価値を向上させることが可能であるという優れた効果を奏する。
【００１９】
また、連結部材は、前記束紐の紐巾と略半幅に形成される切れ目同士を互いに嵌合して止着されているものであることによって、束紐を取り外したり、また環状に連結することができるため、祝儀袋や贈答品等への取り付けが簡単にできる。更には、切れ目を複数箇所に形成して、適宜位置の切れ目同士を嵌め合わせれば、束紐の長さ調節が可能となるという優れた効果を奏する。
【００２０】
そして、束紐は、前記結び目に対して摺動自在に組み付けてなることによって、弾性部材又は連結部材が結び目に対して摺動自在に変位可能となり、一方の折り目が束紐の中心位置に、他方の折り目が弾性部材又は連結部材の中央にくるように束紐を折り畳むことができる。従って、両方の折り目間に結び目を配置した状態での箱詰め収納等が可能となるという優れた効果を奏する。
【考案を実施するための最良の形態】
【００２１】
次に、本考案の第１実施例を図１及び図２を参照しながら説明する。図１中Ａは、本考案に係る結びものであり、この結びものＡは、図１に示すように、複数本の水引１、１…を接合状態に並列させた帯紐で所望形状に結び上げられた結び目２と、この結び目２の左右両端に延出すべく配設された環状の束紐３と、この束紐３に連結部４、４介して止着されたリング状の環状体又は輪ゴム（弾性部材）５とから構成されている。
【００２２】
水引１、１…は、遠く飛鳥時代に端を発し、時代と共に変化しながらも今日のように冠婚葬祭を始めとして贈答品、祝福、感謝、契約の心を表現し、日本人の礼法を演出する結びもの（装飾用品）として親しまれ、現在に承継されている。
【００２３】
この水引１、１…には、紙撚に全着色した色水引や紙撚の上に純銀箔を巻回させた金銀水引或いはアルミ箔、テトロン蒸着フィルム等使用の金銀色彩水引、その他、絹巻水引、蛇腹水引、砂子水引、針金入り水引、金赤水引等々、常套の水引が使用される。
【００２４】
また、好ましくは、標準的巾の「結びもの」が少ない本数（３本程度）で簡単に得られる紙撚芯（図示せず）と針金（図示せず）と外被材（図示せず）とで線形を平状に形成した平水引を使用してもよい。
【００２５】
因に、斯かる平水引は、和紙、クラフト紙等を小巾の帯状（短冊状）に裁断して略０．８〜２ｍｍ程度の大きさに撚られた紙撚芯を接合状態に並列すると共に、各紙撚芯間の谷間に適宜硬性の針金を配置させ、次いで、その外周に接着剤を介して外被材をＳ撚りに巻き付けることにより線形を平型に成形している。
【００２６】
前記の針金は、略０．２〜０．４ｍｍ程の鋼線、鉄線、銅線等の素材からなるもので、用途に応じて種々の太さのものを選択できることは云うまでもない。また、前記の外被材には、適宜フィルム材が使用され、例えば、ポリエチレンテレフタレート、ポリプロピレン、ポリ塩化ビニル、ポリアミド、ポリカボネート、ビニロン等の合成樹脂フィルムに、アルミニウム、金、銀、クロム、ニッケル、亜鉛、錫などの金属を常套手段により蒸着させた金属蒸着フィルムが用いられる。
【００２７】
一方、結び目２は、前述の水引を接合状態に並列させた標準的巾の帯紐で所謂「淡路結び」と称される結び目に結び上げており、別体の束紐３を摺動自在に挿通させていると共に、その遊端に連結部４，４介して環状体又は輪ゴム５が止着されている。
【００２８】
このように、連結部４，４介して環状体又は輪ゴム５が止着されるので、環状の束紐３を拡径すべく伸長できるため、祝儀袋等の出し入れがし易く、従来の如く型くずれをきたすことがない。
【００２９】
次に、本発明に係る結びものの第２実施例を図３を参照しながら説明する。なお、理解を容易にするために、前述した第１実施例と同一部分は同一符号で示し、構成の異なる処のみを新たな番号を付して以下に説明する。この第２実施例に係る結びものは、環状体又は輪ゴム５に代わって、平ゴム紐（連結部材）６を使用する。
【００３０】
この平ゴム紐６は、束紐３の両端に縫着等の取付手段を介して止着されており、第１実施例の環状体又は輪ゴム５と同様に、環状の束紐３を拡径すべく伸長できるため、祝儀袋等の出し入れがし易く、従来の如く型くずれをきたすことがない。
【００３１】
更には、平ゴム紐６を束紐３と同系色の編みゴム又は織りゴム等で形成すると共に、束紐３の紐巾と略同巾に形成すれば、当該束紐３に縫着等の連結手段を介して一体的に止着することによって、束紐３と連結部材との分別がつきづらく、且つより簡単かつ堅固に止着できることとなる。
【００３２】
次に、本発明に係る結びものの第３実施例を図４及び図５を参照しながら説明する。なお、理解を容易にするために、前述した第１実施例と同一部分は同一符号で示し、構成の異なる処のみを新たな番号を付して以下に説明する。この第３実施例に係る結びものは、環状体又は輪ゴム５に代わって、接着テープ又は両面テープ７（連結部材）を使用する。
【００３３】
このように、束紐３、３同士を適宜の位置にてテープ７で止着するので他の素材のものが表面に現出することがなく、従って、違和感なく接合できるために外観を損ねることがない。即ち、結びものとしての品格及び商品価値を低下させることなく装着できる。更には、適宜の位置にてテープ７で止着するので、束紐３の長さ調節が可能となる。
【００３４】
次に、本発明に係る結びものの第４実施例を図６及び図７を参照しながら説明する。なお、理解を容易にするために、前述した第１実施例と同一部分は同一符号で示し、構成の異なる処のみを新たな番号を付して以下に説明する。この第４実施例に係る結びものは、環状体又は輪ゴム５に代わって、束紐３、３の両端に設けられた連結部４、４と、両連結部４、４にそれぞれ挿通した紐部材８、８と、両連結部４、４の間に配設される連結板９とからなる（連結部材）。
【００３５】
両方の紐部材８、８を連結板９の挿通孔１０に挿通させて結束することで、意匠的に斬新な連結部材を形成することとなる。特に、連結板９を束紐３と同系色の板材で形成し、束紐３の紐巾と略同巾に形成すると共に、紐部材８や当該連結板９に種々の装飾を施すこにより、結びものとしての品格及び商品価値を向上させることが可能である。
【００３６】
次に、本発明に係る結びものの第５実施例を図８及び図９を参照しながら説明する。なお、理解を容易にするために、前述した第１実施例と同一部分は同一符号で示し、構成の異なる処のみを新たな番号を付して以下に説明する。この第５実施例に係る結びものは、環状体又は輪ゴム５に代わって、束紐３の紐巾と略半幅に形成される切れ目１１、１１同士を互いに嵌合して止着されるものである（連結部材）。なお、図８中の符号１３は、束紐３の切れ目１１を設ける部位の裏面に貼着させる裏打紙を示す。
【００３７】
このように、切れ目１１、１１同士を互いに嵌合して止着することによって、束紐３を取り外したり、また環状に連結することができるため、祝儀袋や贈答品等への取り付けが簡単にできることとなる。なお、切れ目１１を予め複数箇所に形成して、適宜位置の切れ目１１、１１同士を嵌め合わせれば、束紐３の長さ調節が可能となる。
【００３８】
次に、本発明に係る結びものの第６実施例を図１０を参照しながら説明する。なお、理解を容易にするために、前述した第１実施例と同一部分は同一符号で示し、構成の異なる処のみを新たな番号を付して以下に説明する。この第６実施例に係る結びものは、結び目２に対して束紐３を摺動自在に組み付けてなることに特徴を有する。
【００３９】
このように、束紐３を摺動自在にすることによって、弾性部材又は連結部材６が結び目２に対して摺動自在に変位することから、例えば一方の折り目１２ａが束紐３の中心位置に、他方の折り目１２ｂが弾性部材５又は連結部材の中央に来るように束紐３を折り畳むことができる。その結果、両折り目１２ａ，１２ｂ間に結び目２を配置した状態での箱詰め収納が可能となる。
【００４０】
従って、商品流通等の運搬、不使用時にあっても束紐３に無駄な折れ線ができることがなく、更に、祝儀袋等や贈答品に巻回装着する場合には、束紐３の中心折り目１２ａを前記結び目２の中心に合わせるだけで簡単に左右均等の位置決め配置がなされ、位置決めに余儀なくされることもない。
【００４１】
なお、本考案の結びものは上記の実施例に限定されることなく、例えば図１１に示す、結び切り結び１４、あるいは図１２に示す、リボン状の結び１５など様々な結びに用いることが可能であると共に、本考案の目的の範囲内で自由に設計変更し得るものであり、本考案はそれらの全てを包摂するものである。
【図面の簡単な説明】
【００４２】
【図１】本考案の第１実施例に係る結びものＡの正面図である。
【図２】本考案の第１実施例に係る結びものＡの要部を示す説明図である。
【図３】本考案の第２実施例に係る結びものＡの要部を示す説明図である。
【図４】本考案の第３実施例に係る結びものＡの要部を示す説明図である。
【図５】本考案の第３実施例に係る結びものＡの要部を示す説明図である。
【図６】本考案の第４実施例に係る結びものＡの要部を示す説明図である。
【図７】連結板９の正面図である。
【図８】本考案の第５実施例に係る結びものＡの要部を示す説明図である。
【図９】本考案の第５実施例に係る結びものＡの要部を示す説明図である。
【図１０】本考案の第６実施例に係る結びものＡの正面図である。
【図１１】結び切り結び１４の正面図である。
【図１２】リボン状の結び１５の正面図である。
【符号の説明】
【００４３】
１    水引
２    結び目
３    束紐
４    連結部
５    環状体又は輪ゴム（弾性部材）
６    平ゴム紐（連結部材）
７    接着テープ又は両面テープ（連結部材）
８    紐部材
９    連結板
１０  挿通孔
１１  切れ目
１２ａ、１２ｂ  折り目
１３  裏打紙
１４  結び切り結び
１５  リボン状の結び
【図１】
0003148760.tif 000003
【図２】
0003148760.tif 000004
【図３】
0003148760.tif 000005
【図４】
0003148760.tif 000006
【図５】
0003148760.tif 000007
【図６】
0003148760.tif 000008
【図７】
0003148760.tif 000009
【図８】
0003148760.tif 000010
【図９】
0003148760.tif 000011
【図１０】
0003148760.tif 000012
【図１１】
0003148760.tif 000013
【図１２】
0003148760.tif 000014